(57)【要約】      （修正有）【課題】災害時に防災具を取り外して使用できる防災具付き卓上カレンダーを提供する。【解決手段】所要広さの厚紙素材またはプラスチック板素材に折り目を介して正面板２、底面板３及び背面板４からなる三角形状に折り畳んで形成され、正面板２と背面板４とが接する三角形状の頂部の綴具を兼ねて両側面寄りに針金で形成したガイド部材５を介して１２枚のカレンダー６が捲り上げ可能に重ねて設置されると共に、正面板２の下端部側に所要大きさの開口部７が形成され、該開口部７に一種の防災具を目視できるように且つ着脱自在に設置した。一種の防災具は簡易照明器具８である。【選択図】図２
0003226824.tif 000002
【実用新案登録請求の範囲】
【請求項１】
所要広さの厚紙素材またはプラスチック板素材に折り目を介して正面板、底面板及び背面板からなる三角形状に折り畳んで形成され、
正面板と背面板とが接する三角形状の頂部の綴具を兼ねて両側面寄りに針金等で形成したガイド部材を介して１２枚のカレンダーが捲り上げ可能に重ねて設置されると共に、
前記正面板の下端部側に所要大きさの開口部が形成され、
該開口部に一種の防災具を目視できるように且つ着脱自在に設置したこと
を特徴とする防災具付き卓上カレンダー。
【請求項２】
前記一種の防災具は簡易照明器具であること
を特徴とする請求項１に記載の防災具付き卓上カレンダー。
【考案の詳細な説明】
【技術分野】
【０００１】
本考案は、例えば、毎日食事をするテーブル上に載置する卓上カレンダーに、防災具の1つである電池式照明器具を組み込んで置き、災害時にその電池式照明器具などの防災具を取り外して使用できるように付加した卓上カレンダーに関するものである。
【背景技術】
【０００２】
このような防災具を付加したカレンダーは、従来技術として発見できなかった。
一般的に多くの家庭では、時々使用するか使用しないかに関係なく、電池式照明器具を一応備えている。その電池式照明器具は、室内の邪魔にならない位置で決められた場所に置いてあり、その場所（位置）については、少なくとも住人の全てが日常生活の中で無意識に常に認識される場所であるとは限らないのである。
【０００３】
しかしながら、夜に大地震等の災害が発生して停電状態になった時のことを考えると、実際に電池式の簡易な照明器具が手元に置いてあるわけではないので、その置いてある場所まで手探りの状態で移動し、簡易な照明器具を入手して手元に置かなければならないのである。
【０００４】
特に、夜間における大地震で停電になると、家の中の移動、例えば、トイレに行く時でも照明器具がないと行けないのであるが、その照明器具の置き場所についても明確に決められているわけではないので、多分各家庭毎に区々であると思料される。
【先行技術文献】
【特許文献】
【０００５】
特許文献なし
【考案の概要】
【考案が解決しようとする課題】
【０００６】
しかし、先行の特許文献は見当たりませんが、各家庭においていつ来るか予測できない災害に対して、ある程度の準備をして置くことが必要であると思料されるので、少なくとも、夜間における照明器具の欠如による移動不可が大きな問題点であり解決課題であると思料される。
【０００７】
従って、本考案は夜間における照明器具の欠如における移動不可の問題点を解決できるようにすることに解決課題を有している。
【課題を解決するための手段】
【０００８】
前記課題を解決する手段として、本考案は、所要広さの厚紙素材またはプラスチック板素材に折り目を介して正面板、底面板及び背面板からなる三角形状に折り畳んで形成され、正面板と背面板とが接する三角形状の頂部の綴具を兼ねて両側面寄りに針金等で形成したガイド部材を介して１２枚のカレンダーが捲り上げ可能に重ねて設置されると共に、前記正面板の下端部側に所要大きさの開口部が形成され、該開口部に一種の防災具を目視できるように且つ着脱自在に設置したことを特徴とする防災具付き卓上カレンダーを提供するものである。
【０００９】
前記一種の防災具は、簡易型照明器具であること、を付加的要件として含むものである。
【考案の効果】
【００１０】
本考案に係る防災具付き卓上カレンダーは、常にテーブル上に載置されて、毎日目視されていることから、必然的に防災具の存在、つまり簡易型照明器具の存在を常々認識されるようになり、夜間において地震等によって突然生じた電気系統の障害に対して、迷うことなく速やかに対処できるという優れた効果を奏する。
【図面の簡単な説明】
【００１１】
【図１】本考案に係る実施例の簡易照明器具を取り付けた卓上カレンダーの正面図である。
【図２】同実施例に係る卓上カレンダーから簡易照明器具を取り外して示した斜視図である。
【考案を実施するための形態】
【００１２】
本考案に係る実施例に係る簡易照明器具を取り付けた卓上カレンダーについて、図１と図２に示した実施例について説明する。まず、卓上カレンダー１は、一般的に知られている所要広さの厚紙素材またはプラスチック板素材を使用し、該素材に折り目を介して正面板２、底面板３及び背面板４からなる三角形状に折り畳んで形成され、正面板２と背面板４とが接する三角形状の頂部側で両側面寄りに針金等で形成したガイド部材５を介して１２枚のカレンダー６が重ねて取り付けられると共に、正面板２の下端部側に所要大きさの開口部７が形成され、該開口部７は市販の簡易照明器具８が嵌め込まれる大きさに形成されている。
【００１３】
また、カレンダー６については、例えば、１月のカレンダーの裏面側には３月のカレンダーが、２月のカレンダーの裏面側には４月のカレンダーが印刷されており、毎月表面側のカレンダーをめくって裏面側に移行させることにより、表面側には新しい月のカレンダーが表示され、裏面側には翌月のカレンダーが表示されることになり、色々と計画を立てる上で１ヶ月先まで把握できて便利に利用できるのである。
【００１４】
さらに、卓上カレンダー１の低面板３の上に簡易照明器具８が載置される状態になることで、テーブルの上にカレンダーとして載置した状態であっても、一種のウエイトの役目を果たし安定した状態で設置できるのである。
【００１５】
このように、主として卓上カレンダー１として形成されたものであるが、その一部を利用して、いつも置く場所に困っていた防災具の一種である緊急用の簡易照明器具８を一緒にして、常に目視できる場所、つまり毎日利用するテーブル上に設置できるのであり、家族の全員が毎日見ているので、電気系統に異常がある夜中であっても、緊急事態が発生した時には家族の誰かが簡易照明器具８を容易に取りに行くことができ、それによって家族の不安を取り除くことができるのである。
【００１６】
いずれにしても、本考案は、卓上カレンダー１を利用して、特に、電気系統に支障が生ずる夜の緊急時の不安を解消できるようにしたものであり、家族全員が常日頃から必然的に簡易照明器具８の存在と所在位置とを認識できるようにした点に特徴があるのである。
【産業上の利用可能性】
【００１７】
本考案に係る防災具付き卓上カレンダー１は、例えば、毎日食事をするテーブルの上に設置するカレンダーの一部を利用して、一種の防災具である簡易照明器具８をカレンダーの正面から見えるように組み込んで設置したものであり、しかも、簡易照明器具８のウエイトで軽量なカレンダーの設置の安定性を図れるようにしたものであり、この種の卓上カレンダーに対しても広く適用できるものである。
【符号の説明】
【００１８】
１  卓上カレンダー
２  正面板              
３  底面板
４  背面板
５  ガイド部材
６  カレンダー
７  開口部
８  簡易照明器具
【図１】
0003226824.tif 000003
【図２】
0003226824.tif 000004
【手続補正書】
【提出日】令和2年4月16日(2020.4.16)
【手続補正１】
【補正対象書類名】明細書
【補正対象項目名】０００８
【補正方法】変更
【補正の内容】
【０００８】
前記課題を解決する手段として、本考案は、所要広さの厚紙素材またはプラスチック板素材に折り目を介して正面板、底面板及び背面板からなる三角形状に折り畳んで形成され、正面板と背面板とが接する三角形状の頂部の綴具を兼ねて両側面寄りに針金で形成したガイド部材を介して１２枚のカレンダーが捲り上げ可能に重ねて設置されると共に、前記正面板の下端部側に所要大きさの開口部が形成され、該開口部に一種の防災具を目視できるように且つ着脱自在に設置したことを特徴とする防災具付き卓上カレンダーを提供するものである。
【手続補正２】
【補正対象書類名】実用新案登録請求の範囲
【補正対象項目名】全文
【補正方法】変更
【補正の内容】
【実用新案登録請求の範囲】
【請求項１】
所要広さの厚紙素材またはプラスチック板素材に折り目を介して正面板、底面板及び背面板からなる三角形状に折り畳んで形成され、
正面板と背面板とが接する三角形状の頂部の綴具を兼ねて両側面寄りに針金で形成したガイド部材を介して１２枚のカレンダーが捲り上げ可能に重ねて設置されると共に、
前記正面板の下端部側に所要大きさの開口部が形成され、
該開口部に一種の防災具を目視できるように且つ着脱自在に設置したこと
を特徴とする防災具付き卓上カレンダー。
【請求項２】
前記一種の防災具は簡易照明器具であること
を特徴とする請求項１に記載の防災具付き卓上カレンダー。